(57)【要約】【課題】扉体のヒンジ周辺にワッシャーや筒状カラー等の防護体といった別部品を取り付ける必要のない簡単な構造でありながら、ヒンジ板と扉体との間の隙間を利用した外部からの工作によりヒンジ軸が破壊されるのを防止できて、自動販売機の防盗性が高まり、また、ワッシャーや筒状カラー等の防護体を併用することで一層防盗性が高まるようにする。【解決手段】本体ケース１の前面を覆う扉体２を回転自在に軸支するヒンジのヒンジ板６と扉体２との間でヒンジ軸５がグラインダー等の工具を使用した外部からの工作によって破壊されるのを防止するため、ヒンジ板６と扉体２のと間の隙間ａが外端側で狭くなってグラインダー等の工具の刃が入らなくなるよう、扉体２の縁に沿って隙間ａを狭める方向（下方）へ折り曲がった形状に防御部６ａを延設する。【選択図】　　　　図２
2004038373.tif 000002
【特許請求の範囲】
【請求項１】
上下面が天板部および底板部で構成され前面が開放された本体ケースと、該本体ケースの前面を覆う扉体とを備え、前記本体ケースの天板部および底板部にヒンジ板が固定され、それらヒンジ板に固定されたヒンジ軸に前記扉体が回転自在に軸支されてなる自動販売機において、
前記天板部および底板部に固定されたヒンジ板の少なくとも一方のヒンジ板の外方端縁に、当該ヒンジ板と前記扉体との間で前記ヒンジ軸が外部からの工作により破壊されるのを防止する防御部を設けたことを特徴とする自動販売機。
【請求項２】
前記防御部は、前記ヒンジ板の外方端縁から前記扉体との間の隙間を狭める方向へ折り曲がった形状に延設されていることを特徴とする請求項１記載の自動販売機。
【請求項３】
前記防御部は、前記ヒンジ板の外方端縁から前記扉体の端縁位置を越えて外方へ突出する形状に延設されていることを特徴とする請求項１又は２記載の自動販売機。
【請求項４】
前記ヒンジ板と前記扉体との間の隙間に、前記ヒンジ軸の周囲を回転自在に覆う防護体が設けられている請求項１、２又は３記載の自動販売機。
【発明の詳細な説明】
【０００１】
【発明の属する技術分野】
本発明は、自動販売機に関し、特に、扉体のヒンジが破壊されて商品が盗まれるのを防止する防盗機構に関する。
【０００２】
【従来の技術】
自動販売機の本体ケースの前面を覆う扉体は一般に、本体ケースの前面開口部に一部はまり込む形で、上下のヒンジによって本体ケースに回転自在に取り付けられる。そして、そのヒンジは、本体ケースの天板部および底板部に固定されるヒンジ板と、ヒンジ板に固定されて扉体を回転自在に軸支するヒンジ軸とで構成されている。しかし、このようにして扉体をヒンジによって回転自在の取り付けた自動販売機のおいては、ヒンジ板と扉体との間に隙間ができ、この隙間から工具等が差し込まれてヒンジ軸が破壊され、自動販売機内の商品が盗まれるという問題があった。そこで、扉体のヒンジが外部からの工作により破壊されて商品が盗まれるのを防止するため、ヒンジ板と扉体との間の隙間に、ヒンジ軸の周囲を覆う回転自在なワッシャーや筒状カラー等の防護体を設け、工具等を差し込んでも防護体が回転するだけでヒンジ軸は破壊されないようにすることが従来から行われている。
【０００３】
【発明が解決しようとする課題】
自動販売機の扉体のヒンジが破壊されて商品が盗まれるのを防止するための従来の防盗機構は、上述のようにヒンジ板と扉体との間の隙間にヒンジ軸の周囲を覆う回転自在なワッシャーや筒状カラー等の防護体を設けるというものであるが、それでは、ヒンジ部を構成するヒンジ板とヒンジ軸に加えて、ワッシャーや筒状カラー等の防護体といった別部品を新たに取り付けなくてはならず、部品点数が多く、構造が複雑になるという問題があった。
【０００４】
本発明はこうした問題点に鑑みてなされたものであって、扉体のヒンジ周辺にワッシャーや筒状カラー等の防護体といった別部品を取り付ける必要のない簡単な構造でありながら、ヒンジ板と扉体との間の隙間を利用した外部からの工作によりヒンジ軸が破壊されるのを防止できて、自動販売機の防盗性が高まり、また、ワッシャーや筒状カラー等の防護体を併用することで一層防盗性が高まるようにすることを目的とする。
【０００５】
【課題を解決するための手段】
本発明は、上下面が天板部および底板部で構成され前面が開放された本体ケースと、該本体ケースの前面を覆う扉体とを備え、本体ケースの天板部および底板部にヒンジ板が固定され、それらヒンジ板に固定されたヒンジ軸に扉体が回転自在に軸支されてなる自動販売機において、天板部および底板部に固定されたヒンジ板の少なくとも一方のヒンジ板の外方端縁に、当該ヒンジ板と扉体との間でヒンジ軸が外部からの工作で破壊されるのを防止する防御部を設けたことを特徴とする。
【０００６】
このような防御部をヒンジ板の外方端縁に設けることで、ヒンジ板と扉体との間の隙間を利用した外部からの工作によりヒンジ軸が破壊されるのを防止でき、ワッシャーや筒状カラー等の防護体といった別部品を取り付ける必要がなくなって、簡単な構造で自動販売機の防盗性を高めることができる。
【０００７】
防御部は、好ましくは、ヒンジ板の外方端縁から扉体との間の隙間を狭める方向へ折り曲がった形状に延設されたものとする。
【０００８】
このようにヒンジ板の外方端縁から折り曲がった形状の防御部を設けることにより、ヒンジ板と扉体との間の隙間が外端側で狭くなり、グラインダー等の工具の刃が入らなくなる。そのため、ヒンジ周辺にワッシャーや筒状カラー等の防護体といった別部品を取り付けずとも、外部からの工作による破壊を防止でき、簡単な構造で防盗性を高めることができる。
【０００９】
防御部は、また、ヒンジ板の外方端縁から扉体の端縁位置を越えて外方へ突出する形状に延設されたものであってもよい。
【００１０】
このようにヒンジ板の外方端縁から突出する形状の防御部を設けることにより、グラインダー等の工具の刃をヒンジ板と扉体との間の隙間に差し込んでも刃先がヒンジ軸まで届かないようにできる。そのため、ヒンジ周辺にワッシャーや筒状カラー等の防護体といった別部品を取り付けずとも、外部からの工作で破壊できないようにでき、簡単な構造で防盗性を高めることができる。
【００１１】
また、ヒンジ板の外方端縁に防御部を設けるのに加えて、ヒンジ板と扉体との間の隙間に、ヒンジ軸の周囲を回転自在に覆うワッシャーや筒状カラー等の防護体を設けてもよい。
【００１２】
このようにワッシャーや筒状カラー等の防護体を併用することで、ヒンジ板と扉体との間の隙間を利用した外部からの工作がより困難になり、防盗性が一層高まる。
【００１３】
【発明の実施の形態】
以下、本発明の実施の形態を図面に基づいて説明する。
【００１４】
（第１の実施の形態）
図１〜図３は第１の実施の形態の自動販売機の上下ヒンジ周辺部分の構造を示している。図１は上側ヒンジ周辺部分の平面図、図２は上側ヒンジ周辺部分の縦断面図（図１のＡ−Ａ断面図）、図３は下側ヒンジ周辺部分の縦断面図である。図１〜図３において、１は自動販売機の本体ケース、２は本体ケース１の前面を覆う扉体（いずれも一部を図示している）である。この第１の実施例の自動販売機の本体ケース１は、上下面が天板部３および底板部４で構成され、前面が開放されている。そして、本体ケース１の天板部３上面の前方（図１〜図３において左側）から見て左前端側の位置に、垂直下方へ突出するヒンジ軸５を備えた板状のヒンジ板６が固定されて上側のヒンジが構成され、その真下にあたる底板部４上面の左前端側の位置に、垂直上方へ突出するヒンジ軸７を備えた板状のヒンジ板８が固定されて下側のヒンジが構成されている。
【００１５】
扉体２は、本体ケース１前面の開口部に一部入り込む形で、上下のヒンジのヒンジ軸５、７に回転自在に軸支され、扉体２の上面と上側のヒンジのヒンジ板６の下面との間、扉体２の下面と下側のヒンジのヒンジ板８の上面との間には隙間ａ、ｂが形成される。
【００１６】
扉体２の上面の前方から見て左端部と下面の左端部には、上下のヒンジのヒンジ軸５、７を挿入する挿入孔９、１０が設けられ、それら挿入孔９、１０に軸受カラー１１、１２が取り付けられている。扉体２は、上面および下面の挿入孔９、１０に上下のヒンジ軸５、７が挿入され、これらヒンジ軸５、７が軸受カラー１１、１２により軸受けされることにより、横方向に回動自在に軸支される。
【００１７】
上側のヒンジのヒンジ板６は、後側部分が本体ケース１の天板部３にボルト固定され、本体ケース１の前方に張り出した前側部分の前方から見て左の隅に、ヒンジ軸５の一端（上端）を挿入し固定する取付穴１３が設けられていて、この取付穴１３にヒンジ軸５の一端を嵌め込んで溶接することにより、ヒンジ軸５を確実に固定できるようになっている。
【００１８】
ヒンジ軸５は、一端（上端）がヒンジ板６に溶接により固定されるよう形成され、他端（下端）はネジ部が形成されていて、扉体２の挿入孔９に取り付けられた軸受カラー１１に挿入した後、ネジ部に抜け止め部材１４（ナット）を取り付けることで、ヒンジ軸５が扉体２から抜け出てしまうことがないようになっている。
【００１９】
また、上側のヒンジのヒンジ板６には、左前隅の外方端縁に、ヒンジ板６と扉体２との間でヒンジ軸５がグラインダー等の工具を使用した外部からの工作によって破壊されるのを防止するため、ヒンジ板６と扉体２のと間の隙間ａが外端側で狭くなってグラインダー等の工具の刃が入らなくなるよう、扉体２の縁に沿って隙間ａを狭める方向（下方）へ折り曲がった形状に延設された防御部６ａが設けられている。これにより、ヒンジ板６と扉体２との間の隙間ａが外端側で狭くなり、グラインダー等の工具の刃が入らなくなる。
【００２０】
また、このヒンジ板６と扉体２のと間の隙間ａには、ヒンジ軸５の周囲を覆うように防護体としてのワッシャー１５、１６が回転自在に設けられている。このようにワッシャー１５、１６が介在することにより、仮に防御部６ａが破壊されてもグラインダー等の工具が直接ヒンジ軸５に触れることができず、また、グラインダー等の工具でワッシャー１５、１６ごとヒンジ軸５を切断しようとしても、ワッシャー１５、１６が回転するために工具の刃を食い込ませることができず、ヒンジ軸５が切断されるのを防止できる。
【００２１】
また、下側のヒンジのヒンジ板８は、本体ケース１の底板部４にビス固定され、中央部分の前方から見て左側に、ヒンジ軸７の一端（下端）を挿入し固定する取付穴１７が設けられていて、この取付穴１７にヒンジ軸７の一端を嵌め込んで溶接することにより、ヒンジ軸７を確実に固定できるようになっている。
【００２２】
ヒンジ軸７は、一端（下端）がヒンジ板６に溶接により固定されるよう形成され、他端（上端）はネジ部が形成されていて、扉体２の挿入孔１０に取り付けられた軸受カラー１２に挿入した後、ネジ部に抜け止め部材１８（ナット）を取り付けることで、ヒンジ軸７が扉体２から抜け出てしまうことがないようになっている。
【００２３】
また、下側のヒンジのヒンジ板８にも、左前隅の外方端縁に、ヒンジ板８と扉体２との間でヒンジ軸７がグラインダー等の工具を使用した外部からの工作によって破壊されるのを防止するため、ヒンジ板８と扉体２のと間の隙間ｂが外端側で狭くなってグラインダー等の工具の刃が入らなくなるよう、扉体２の縁に沿って隙間ｂを狭める方向（上方）へ折り曲がった形状に延設された防御部８ａが設けられている。これにより、ヒンジ板８と扉体２との間の隙間ｂが外端側で狭くなり、グラインダー等の工具の刃が入らなくなる。
【００２４】
また、このヒンジ板８と扉体２のと間の隙間ｂにも、ヒンジ軸７の周囲を覆うように防護体としてのワッシャー１９、２０、２１が回転自在に設けられている。このようにワッシャー１９、２０、２１が介在することにより、仮に防御部８ａが破壊されてもグラインダー等の工具が直接ヒンジ軸５に触れることができず、また、グラインダー等の工具でワッシャー１９、２０、２１ごとヒンジ軸７を切断しようとしても、ワッシャー１９、２０、２１が回転するために工具の刃を食い込ませることができず、ヒンジ軸７が切断されるのを防止できる。
【００２５】
このように第１の実施の形態の自動販売機は、ヒンジ板６、８に形成した防御部６ａ、８ａと、ヒンジ軸５の周囲を覆うように設けたワッシャー１５、１６、１９、２０、２１との組み合わせにより、隙間ａ及びｂを利用した外部からの工作によるヒンジ軸５の破壊をより確実に防止できるようになっている。ワッシャーや筒状カラー等の防護体を併用することで、ヒンジ板６、８と扉体２との間の隙間ａ及びｂを利用した外部からの工作がより困難になり、防盗性が一層高まる。
【００２６】
なお、この第１の実施の形態の自動販売機は、ヒンジ周辺にワッシャーや筒状カラー等の防護体といった別部品を取り付けない簡単な構造で実施することもでき、その場合でも外部からの工作による破壊を防止でき、防盗性を高めることができる。その場合、防御部は、ヒンジ板の端縁部を折り曲げ成形することで形成しているので、別部品を使用せずにヒンジ板のみで防御部を形成することができ、部品点数を減らしてコストを削減することができる。
【００２７】
また、この第１の実施の形態は、上下のヒンジのヒンジ板６、８に防御部６ａ、８ａを設けているが、これら防御部６ａ、８ａはいずれか一方だけ設けるようにしてもよく、その場合も一定の効果が得られる。そして、特に上側のヒンジ板６に防御部６ａを設けることでその効果が高まる。
【００２８】
また、この第１の実施の形態の自動販売機は、上下のヒンジ板６、８全体を覆うようにカバー体を設けるようにしてもよく、そうすることで、上側のヒンジ板６の上面に突出しているヒンジ軸５の上端部や、下側のヒンジ板８を本体ケース１に固定しているビスが外部から工具によって破壊されるのを防ぐことができる。
【００２９】
また、この第１の実施の形態の自動販売機は、ヒンジ板６、８の防御部６ａ、８ａに、焼き入れ等の処理を行って材質の強度を高めるようにしてもよく、それにより防盗性が一層高まる。
【００３０】
（第２の実施の形態）
図４〜図６は第２の実施の形態の自動販売機の上下ヒンジ周辺部分の構造を示している。図４は上側ヒンジ周辺部分の平面図、図５は上側ヒンジ周辺部分の縦断面図（図４のＡ−Ａ断面図）、図６は下側ヒンジ周辺部分の縦断面図である。この第２の実施の形態の自動販売機は、上記第１の実施の形態の自動販売機に対し後述の防御部６ｂ、８ｂに特徴があり、その他の部分の構造および機能は上記第１の実施の形態の自動販売機と同様である。以下、第１の実施の形態の自動販売機と共通する部分については図に同じ符号を付すにとどめ、第２の実施の形態の自動販売機に特有な防御部６ｂ、８ｂを中心に説明する。
【００３１】
この第２の実施の形態の自動販売機は、上側のヒンジのヒンジ板６の前端および左端（前方から見て左端）の外方端縁に、ヒンジ板６と扉体２との間でヒンジ軸５がグラインダー等の工具を使用した外部からの工作によって破壊されるのを防止するため、ヒンジ軸５とヒンジ板６の端縁との距離が大きくなってグラインダー等の工具の刃がヒンジ軸５の位置まで届かなくなるよう、ヒンジ板６の外方端縁から扉体２の端縁位置を越えて外方へ突出する形状に延設された防御部６ｂが設けられている。こうして、ヒンジ板６と扉体２との間の隙間ａに進入させようとするグラインダー等の工具の刃がヒンジ軸５の位置まで届かなくなるようにできる。また、ヒンジ板６と扉体２のと間の隙間ａには、ヒンジ軸５の周囲を覆うように防護体としてのワッシャー１５、１６が回転自在に設けられている。そのため、仮に防御部６ａが破壊されてもグラインダー等の工具が直接ヒンジ軸５に触れることができず、また、グラインダー等の工具でワッシャー１５、１６ごとヒンジ軸５を切断しようとしても、ワッシャー１５、１６が回転するために工具の刃を食い込ませることができず、ヒンジ軸５が切断されるのを防止できる。
【００３２】
また、この第２の実施の形態の自動販売機は、下側のヒンジのヒンジ板８の前端および左端（前方から見て左端）の外方端縁にも、ヒンジ板８と扉体２との間でヒンジ軸５がグラインダー等の工具を使用した外部からの工作によって破壊されるのを防止するため、ヒンジ軸５とヒンジ板８の端縁との距離が大きくなってグラインダー等の工具の刃がヒンジ軸５の位置まで届かなくなるよう、ヒンジ板８の外方端縁から扉体２の端縁位置を越えて外方へ突出する形状に延設された防御部８ｂが設けられている。こうして、ヒンジ板８と扉体２との間の隙間ｂに進入させようとするグラインダー等の工具の刃がヒンジ軸５の位置まで届かなくなるようにできる。また、ヒンジ板８と扉体２のと間の隙間ｂにも、ヒンジ軸７の周囲を覆うように防護体としてのワッシャー１９、２０、２１が回転自在に設けられている。そのため、仮に防御部８ａが破壊されてもグラインダー等の工具が直接ヒンジ軸５に触れることができず、また、グラインダー等の工具でワッシャー１９、２０、２１ごとヒンジ軸７を切断しようとしても、ワッシャー１９、２０、２１が回転するために工具の刃を食い込ませることができず、ヒンジ軸７が切断されるのを防止できる。
【００３３】
このように第２の実施の形態の自動販売機もまた、ヒンジ板６、８に形成した防御部６ｂ、８ｂと、ヒンジ軸５の周囲を覆うように設けたワッシャー１５、１６、１９、２０、２１との組み合わせにより、隙間ａ及びｂを利用した外部からの工作によるヒンジ軸５の破壊をより確実に防止でき。
【００３４】
なお、この第２の実施の形態の自動販売機もまた、ヒンジ周辺にワッシャーや筒状カラー等の防護体といった別部品を取り付けない簡単な構造で実施することもでき、その場合でも外部からの工作による破壊を防止でき、防盗性を高めることができる。その場合、防御部は、ヒンジ板の端縁部を折り曲げ成形することで形成しているので、別部品を使用せずにヒンジ板のみで防御部を形成することができ、部品点数を減らしてコストを削減することができる。
【００３５】
また、この第２の実施の形態においても、防御部６ｂ、８ｂは上下いずれか一方だけ設けるようにしてもよく、その場合も一定の効果が得られ、特に上側のヒンジ板６に防御部６ｂを設けることでその効果が高まる。
【００３６】
また、この第２の実施の形態の自動販売機もまた、上下のヒンジ板６、８全体を覆うようにカバー体を設けるようにしてもよく、そうすることで、上側のヒンジ板６の上面に突出しているヒンジ軸５の上端部や、下側のヒンジ板８を本体ケース１に固定しているビスが外部から工具によって破壊されるのを防ぐことができる。
【００３７】
また、この第２の実施の形態の自動販売機においても、ヒンジ板６、８の防御部６ｂ、８ｂに、焼き入れ等の処理を行って材質の強度を高めるようにしてもよく、それにより、防盗性が一層高まる。
【００３８】
また、本発明は、上記第１の実施の形態と第２の実施の形態を組み合わせて、ヒンジ板の端縁部を外方へ延設し、且つ折り曲げて防御部を形成する形で実施することも可能である。
【００３９】
【発明の効果】
以上の説明から明らかなように、本発明によれば、防御部をヒンジ板の外方端縁に設けることで、ヒンジ板と扉体との間の隙間を利用した外部からの工作によりヒンジ軸が破壊されるのを防止でき、ワッシャーや筒状カラー等の防護体といった別部品を取り付ける必要がなくなって、簡単な構造で自動販売機の防盗性を高めることができる。
【００４０】
また、ヒンジ板の外方端縁に防御部を設けるのに加えて、ヒンジ板と扉体との間の隙間に、ヒンジ軸の周囲を回転自在に覆うワッシャーや筒状カラー等の防護体を設けることもでき、それにより、ヒンジ板と扉体との間の隙間を利用した外部からの工作がより困難になり、防盗性が一層高まる。
【図面の簡単な説明】
【図１】第１の実施の形態における自動販売機の上側ヒンジ周辺部分の平面図である。
【図２】第１の実施の形態における自動販売機の上側ヒンジ周辺部分の縦断面図（図１のＡ−Ａ断面図）である。
【図３】第１の実施の形態における自動販売機の下側ヒンジ周辺部分の縦断面図である。
【図４】第２の実施の形態における自動販売機の上側ヒンジ周辺部分の平面図である。
【図５】第２の実施の形態における自動販売機の上側ヒンジ周辺部分の縦断面図（図４のＡ−Ａ断面図）である。
【図６】第２の実施の形態における自動販売機の下側ヒンジ周辺部分の縦断面図である。
【符号の説明】
１　本体ケース
２　扉体
３　天板部
４　底板部
５、７　ヒンジ軸
６、８　ヒンジ板
６ａ、６ｂ、８ａ、８ｂ　防御部
１１、１２　軸受カラー
１５、１６、１９、２０、２１　ワッシャー（防護体）
【図１】
2004038373.tif 000003
【図２】
2004038373.tif 000004
【図３】
2004038373.tif 000005
【図４】
2004038373.tif 000006
【図５】
2004038373.tif 000007
【図６】
2004038373.tif 000008